(57)【要約】【課題】蓋体及びその開閉構造を簡素化して部品点数及び組付け工程を低減できると共に、開放状態の蓋体の裏面側の見栄え及び蓋体の触感を向上させることができるコンソールボックスを提供する。【解決手段】本コンソールボックス１は、開口８ｂを有するボックス本体２と、前記開口を塞ぎ、且つ、蓋本体１０と該蓋本体を支持する支持枠１１とを有する蓋体３と、を備え、前記蓋体には、その先端側が前記ボックス本体の内部に取り付けられる伸縮性を有する延設部２０が設けられており、前記ボックス本体及び前記蓋体のうちの一方には軸部３０が設けられており、他方には該軸部を軸支する軸受部３１が設けられており、該軸部及び該軸受部は、前記延設部の伸縮により該軸部の軸心と交差する方向に相対移動されるようになっている。【選択図】図２
2010064525.tif 000002
【特許請求の範囲】
【請求項１】
開口を有するボックス本体と、
前記開口を塞ぎ、且つ、蓋本体と該蓋本体を支持する支持枠とを有する蓋体と、を備え、
前記蓋体には、その先端側が前記ボックス本体の内部に取り付けられる伸縮性を有する延設部が設けられており、
前記ボックス本体及び前記蓋体のうちの一方には軸部が設けられており、他方には該軸部を軸支する軸受部が設けられており、該軸部及び該軸受部は、前記延設部の伸縮により該軸部の軸心と交差する方向に相対移動されるようになっていることを特徴とするコンソールボックス。
【請求項２】
前記延設部は、前記蓋本体の表皮の一部を延設して構成されている請求項１記載のコンソールボックス。
【請求項３】
前記蓋本体は、袋織りの二重織り部と一重織り部とを有する一枚織布からなる表皮と、該二重織り部の内部に封入される弾性を有するパッドと、を有する請求項１又は２に記載のコンソールボックス。
【請求項４】
前記二重織り部のうちの表側織り部に用いられる繊維と裏側織り部に用いられる繊維とでは、原料、繊度、捲縮率、及び引張り強さからなる群のうちの少なくとも一種が異なる請求項３記載のコンソールボックス。
【請求項５】
前記表側織り部に用いられる繊維は表用捲縮繊維であり、前記裏側織り部に用いられる繊維は、該表用捲縮繊維より捲縮率の大きい裏用捲縮繊維である請求項４記載のコンソールボックス。
【請求項６】
前記蓋本体は、袋編みの二重編み部と一重編み部とを有する一枚編布からなる表皮と、該二重編み部の内部に封入される弾性を有するパッドと、を有する請求項１又は２に記載のコンソールボックス。
【請求項７】
前記二重編み部のうちの表側編み部に用いられる繊維と裏側編み部に用いられる繊維とでは、原料、繊度、捲縮率、及び引張り強さからなる群のうちの少なくとも一種が異なる請求項６記載のコンソールボックス。
【請求項８】
前記表側編み部に用いられる繊維は表用捲縮繊維であり、前記裏側編み部に用いられる繊維は、該表用捲縮繊維より捲縮率の大きい裏用捲縮繊維である請求項７記載のコンソールボックス。
【請求項９】
前記ボックス本体及び前記蓋体の間には、該ボックス本体に対して該蓋体をロックするロック機構が設けられており、該ロック機構は、前記延設部の伸縮によりロック解除されるようになっている請求項１乃至８のいずれか一項に記載のコンソールボックス。
【請求項１０】
前記表皮には、前記パッドを入れるための切り込みが形成されており、前記支持枠には、該切り込みに対応する位置にリブ部が設けられている請求項３乃至８のいずれか一項に記載のコンソールボックス。
【請求項１１】
前記リブ部の表面側には、前記表皮に向かって突出する突起部が設けられている請求項１０記載のコンソールボックス。
【発明の詳細な説明】
【技術分野】
【０００１】
本発明は、コンソールボックスに関し、さらに詳しくは、蓋体及びその開閉構造を簡素化して部品点数及び組付け工程を低減できると共に、開放状態の蓋体の裏面側の見栄え及び蓋体の触感を向上させることができるコンソールボックスに関する。
【背景技術】
【０００２】
従来より、自動車等の車両室内のコンソールボックスとして、開口を有するボックス本体と、このボックス本体に回転自在に支持されて開口を開閉する蓋体と、を備えてなるものが一般に知られている（例えば、特許文献１及び２参照）。
【０００３】
上記蓋体１０１としては、例えば、図５及び図６に示すように、布製又はビニール製の表皮１０２とポリウレタン製のパッド１０３とを樹脂製の基材１０４に巻き込み、これら表皮１０２、パッド１０３及び基材１０４の３部材を、環状であり樹脂製のベゼル部材１０５を挟んで表皮１０２を押さえた状態で樹脂製のベース部材１０６に取り付け、このベース部材１０６の裏面側に樹脂製の化粧材１０７を取り付けてなるものが知られている。
【０００４】
また、上記蓋体１０１の開閉構造としては、例えば、回転支持機構１０８とロック機構１０９とを備えるものが知られている。この回転支持機構１０８は、ベース部材１０６の裏面側に形成された左右の支持部１１０，１１０の貫通孔１１０ａに支持ピン１１１を挿通し、この支持ピン１１１の両端側をボックス本体１１８に設けられた軸支部１１２で軸支して構成されている。さらに、上記ロック機構１０９は、ロック部材１１３の貫通孔１１３ａに支持ピン１１４を挿通し、この支持ピン１１４の両端側をベース部材１０６の裏面側に形成された支持部（図示省略）に軸支してロック部材１１３を揺動自在に支持すると共に、ロック部材１１３及びベース部材１０６の間にロック部材１１３をロック方向に揺動するように付勢するバネ１１６を装着して構成されている。
【０００５】
【特許文献１】特開２００８−１５５８１９号公報
【特許文献２】特開２００２−３３７６１４号公報
【発明の開示】
【発明が解決しようとする課題】
【０００６】
しかし、上記従来のコンソールボックスでは、蓋体１０１として、表皮１０２、パッド１０３、基材１０４、ベゼル部材１０５、ベース部材１０６、及び化粧材１０７の６部材からなるものを採用しているので、蓋体１０１の構造が複雑であり、部品点数及び組付け工程が極めて多くなる。さらに、ロック機構１０９として、ロック部材１１３（可動部材）、支持ピン１１４、及びバネ１１６の３部材からなるものを採用しているので、ロック機構１０９ひいては蓋体の開閉構造が複雑であり、やはり部品点数及び組付け工程が多くなる。
また、上記従来のコンソールボックスでは、蓋体１０１の裏面側には樹脂製の化粧材１０７が設けられているので、開放状態の蓋体１０１の裏面側の見栄えを向上させ難い。
さらに、上記従来のコンソールボックスでは、表皮１０２及びパッド１０３を基材１０４に巻き込んでなる３部材を、ベゼル部材１０５を介して回転支持機構１０８とロック機構１０９の一部が備えられたベース部材１０６に取り付けているので、蓋体１０１の厚さ方向の寸法を大きくできない。そのため、パッド１０３の厚みを大きくできず、蓋体１０１の触感を向上させ難い。
【０００７】
本発明は、上記現状に鑑みてなされたものであり、蓋体及びその開閉構造を簡素化して部品点数及び組付け工程を低減できると共に、開放状態の蓋体の裏面側の見栄え及び蓋体の触感を向上させることができるコンソールボックスを提供することを目的とする。
【課題を解決するための手段】
【０００８】
本発明は、以下の通りである。
１．開口を有するボックス本体と、
前記開口を塞ぎ、且つ、蓋本体と該蓋本体を支持する支持枠とを有する蓋体と、を備え、
前記蓋体には、その先端側が前記ボックス本体の内部に取り付けられる伸縮性を有する延設部が設けられており、
前記ボックス本体及び前記蓋体のうちの一方には軸部が設けられており、他方には該軸部を軸支する軸受部が設けられており、該軸部及び該軸受部は、前記延設部の伸縮により該軸部の軸心と交差する方向に相対移動されるようになっていることを特徴とするコンソールボックス。
２．前記延設部は、前記蓋本体の表皮の一部を延設して構成されている上記１．記載のコンソールボックス。
３．前記蓋本体は、袋織りの二重織り部と一重織り部とを有する一枚織布からなる表皮と、該二重織り部の内部に封入される弾性を有するパッドと、を有する上記１．又は２．に記載のコンソールボックス。
４．前記二重織り部のうちの表側織り部に用いられる繊維と裏側織り部に用いられる繊維とでは、原料、繊度、捲縮率、及び引張り強さからなる群のうちの少なくとも一種が異なる上記３．記載のコンソールボックス。
５．前記表側織り部に用いられる繊維は表用捲縮繊維であり、前記裏側織り部に用いられる繊維は、該表用捲縮繊維より捲縮率の大きい裏用捲縮繊維である上記４．記載のコンソールボックス。
６．前記蓋本体は、袋編みの二重編み部と一重編み部とを有する一枚編布からなる表皮と、該二重編み部の内部に封入される弾性を有するパッドと、を有する上記１．又は２．に記載のコンソールボックス。
７．前記二重編み部のうちの表側編み部に用いられる繊維と裏側編み部に用いられる繊維とでは、原料、繊度、捲縮率、及び引張り強さからなる群のうちの少なくとも一種が異なる上記６．記載のコンソールボックス。
８．前記表側編み部に用いられる繊維は表用捲縮繊維であり、前記裏側編み部に用いられる繊維は、該表用捲縮繊維より捲縮率の大きい裏用捲縮繊維である上記７．記載のコンソールボックス。
９．前記ボックス本体及び前記蓋体の間には、該ボックス本体に対して該蓋体をロックするロック機構が設けられており、該ロック機構は、前記延設部の伸縮によりロック解除されるようになっている上記１．乃至８．のいずれか一項に記載のコンソールボックス。
１０．前記表皮には、前記パッドを入れるための切り込みが形成されており、前記支持枠には、該切り込みに対応する位置にリブ部が設けられている上記３．乃至８．のいずれか一項に記載のコンソールボックス。
１１．前記リブ部の表面側には、前記表皮に向かって突出する突起部が設けられている上記１０．記載のコンソールボックス。
【発明の効果】
【０００９】
本発明のコンソールボックスによると、蓋体に延設部を設け、ボックス本体及び蓋体のうちの一方に軸部を設け、他方に軸受部を設け、これら軸部及び軸受部を、延設部の伸縮により軸部の軸心と交差する方向に相対移動させるようにしたので、蓋体の開閉構造を簡素化して部品点数及び組付け工程を低減することができる。また、蓋体として、蓋本体及び支持枠を有するものを採用しているので、蓋体の構造を簡素化して部品点数及び組付け工程を低減することができる。また、開放状態の蓋体の裏面側として蓋本体を見せることができ、蓋体の裏面側の見栄えを向上させることができる。さらに、蓋体の構造を簡素化できるので、蓋本体の厚さ寸法を大きくでき、蓋体の触感を向上させることができる。
また、前記延設部が、前記蓋本体の表皮の一部を延設して構成されている場合は、蓋体の構造をさらに簡素化できる。
また、前記蓋本体が、袋織りの二重織り部と一重織り部とを有する一枚織布からなる表皮と、該二重織り部の内部に封入される弾性を有するパッドと、を有する場合は、蓋体の構造をさらに簡素化できる。また、開放状態の蓋体の裏面側として二重織り部の裏側織り部を見せることができ、蓋体の裏面側の見栄えをさらに向上させることができる。また、パッドの厚さ寸法を大きくでき、蓋体の触感をさらに向上させることができる。さらに、一枚織布からなる表皮を比較的容易に作成することができる。
また、前記二重織り部のうちの表側織り部に用いられる繊維と裏側織り部に用いられる繊維とでは、原料、繊度、捲縮率、及び引張り強さからなる群のうちの少なくとも一種が異なる場合は、二重織り部の表側織り部及び裏側織り部の一重織り部の表裏面からの突出形状を異ならせて、それぞれに適した突出形状とすることができる。例えば、表側織り部を湾曲状の突出形状としてその見栄えを向上させ得ると共に、裏側織り部をその底面が略平面状となる突出形状として支持枠に対する設置性を高めることができる。
また、前記表側織り部に用いられる繊維が表用捲縮繊維であり、前記裏側織り部に用いられる繊維が、該表用捲縮繊維より捲縮率の大きい裏用捲縮繊維である場合は、二重織り部の表側織り部及び裏側織り部のそれぞれの突出形状をさらに容易且つ確実に異ならせることができる。
また、前記蓋本体が、袋編みの二重編み部と一重編み部とを有する一枚編布からなる表皮と、該二重編み部の内部に封入される弾性を有するパッドと、を有する場合は、蓋体の構造をさらに簡素化できる。また、開放状態の蓋体の裏面側として二重編み部の裏側編み部を見せることができ、蓋体の裏面側の見栄えをさらに向上させることができる。また、パッドの厚さ寸法を大きくでき、蓋体の触感をさらに向上させることができる。さらに、一枚編布からなる表皮として、裁断工程を必要とせずに孔部等が形成されたものを作成することができる。
また、前記二重編み部のうちの表側編み部に用いられる繊維と裏側編み部に用いられる繊維とでは、原料、繊度、捲縮率、及び引張り強さからなる群のうちの少なくとも一種が異なる場合は、二重編み部の表側編み部及び裏側編み部の一重編み部の表裏面からの突出形状を異ならせて、それぞれに適した突出形状とすることができる。例えば、表側編み部を湾曲状の突出形状としてその見栄えを向上させ得ると共に、裏側編み部をその底面が略平面状となる突出形状として支持枠に対する設置性を高めることができる。
また、前記表側編み部に用いられる繊維が表用捲縮繊維であり、前記裏側編み部に用いられる繊維が、該表用捲縮繊維より捲縮率の大きい裏用捲縮繊維である場合は、二重編み部の表側編み部及び裏側編み部のそれぞれの突出形状をさらに容易且つ確実に異ならせることができる。
また、前記ボックス本体及び前記蓋体の間には、該ボックス本体に対して該蓋体をロックするロック機構が設けられており、該ロック機構は、前記延設部の伸縮によりロック解除されるようになっている場合は、蓋体を開放してロック解除する際に使用者に適当な節度感を与えることができると共に、蓋体を閉鎖する際に蓋体を確実にロックすることができる。
また、前記表皮には、前記パッドを入れるための切り込みが形成されており、前記支持枠には、該切り込みに対応する位置にリブ部が設けられている場合は、リブ部により切り込みが覆い隠されるので、蓋体の裏面側の見栄えの低下を抑制できると共に、蓋本体の中心部を支持しているために乗員の上方からの荷重によって蓋本体がたわむことなく、蓋体の強度を高めることができる。
さらに、前記リブ部の表面側には、前記表皮に向かって突出する突起部が設けられている場合は、突起部により表皮の切り込みの周囲側の乱れを抑制して表皮の見栄えの低下を抑制することができる。
【発明を実施するための最良の形態】
【００１０】
１．コンソールボックス
本実施形態１．に係るコンソールボックスは、以下に述べるボックス本体及び蓋体を備える。
【００１１】
上記「ボックス本体」は、開口を有する限り、その構造、大きさ、形状、材質、数量などは特に問わない。この開口の設置場所、大きさ、形状、数量などは特に問わない。
【００１２】
上記「蓋体」は、上記開口を塞ぎ、且つ、蓋本体と蓋本体を支持する支持枠とを有する限り、その構造、大きさ、形状、材質、数量などは特に問わない。この蓋本体には、その先端側が上記ボックス本体の内部に取り付けられる伸縮性を有する延設部が設けられている。
上記延設部の構造、大きさ、形状、材質、数量などは特に問わない。この延設部は、通常、帯状に形成されている。また、この延設部は、例えば、上記蓋本体の表皮の一部を延設して構成されていることができる。
上記蓋本体の構造、大きさ、形状、材質、数量などは特に問わない。この蓋本体は、例えば、織布又は編布を用いてなる表皮と、この表皮に包まれる弾性を有するパッドと、を有することができる。これにより、蓋体の構造をさらに簡素化できる。また、開放状態の蓋体の裏面側として織布又は編布を見せることができ、蓋体の裏面側の見栄えをさらに向上させることができる。また、パッドの厚さ寸法を大きくでき、蓋体の触感をさらに向上させることができる。
【００１３】
ここで、上記実施形態１．のコンソールボックスでは、上記ボックス本体及び蓋体のうちの一方には軸部が設けられており、他方には軸部を軸支する軸受部が設けられており、軸部及び軸受部は、上記延設部の伸縮により軸部の軸心と交差する方向に相対移動されるようになっている。
この場合、例えば、樹脂製の上記ボックス本体及び蓋体のうちの一方には軸部が一体成形されており、他方には軸部の全周の一部を軸支する略Ｕ字状の軸受部が一体成形されていることができる。これにより、従来のように単一部品の支持ピンを支持部及び軸支部に挿通させているものに比べて、軸部を軸受部に極めて容易に軸支させることができる。
この場合、例えば、上記延設部は、上記軸部及び軸受部の内側（ボックス本体の中央寄り側）に配設されていることができる。これにより、軸部又は軸受部を回転中心として蓋体をより円滑に回転させることができる。
【００１４】
上記蓋本体としては、例えば、（１）袋織りの二重織り部と一重織り部とを有する一枚織布からなる表皮と、二重織り部の内部に封入される弾性を有するパッドと、を有する形態、（２）袋編みの二重編み部と一重編み部とを有する一枚編布からなる表皮と、二重編み部の内部に封入される弾性を有するパッドと、を有する形態等を挙げることができる。
【００１５】
上記（１）形態では、例えば、上記二重織り部のうちの表側織り部に用いられる繊維と裏側織り部に用いられる繊維とでは、原料、繊度、捲縮率、及び引張り強さからなる群のうちの少なくとも一種が異なることができる。この場合、上記一重織り部に用いられる繊維は、通常、表側織り部に用いられる繊維又は裏側織り部に用いられる繊維と同じものである。
上記表側織り部及び裏側織り部に用いられる繊維の原料としては、例えば、ポリエチレンテレフタレート繊維、ポリブチレンテレフタレート繊維、ポリトリメチレンテレフタレート繊維、ポリ乳酸等のポリエステル系繊維、ナイロン６繊維、ナイロン６６繊維等のポリアミド系繊維、ポリアクリル系繊維、ポリプロピレン繊維等のポリオレフィン系繊維などの合成繊維、綿、麻、絹、ウール等の天然繊維、キュプラレーヨン、ビスコースレーヨン、リョセル等の再生繊維などのうちの１種又は２種以上の組み合わせを挙げることができる。
上記表側織り部に用いられる繊維の繊度は、例えば、２０〜２０００デシテックス、特に２２０〜３３０デシテックスであることができる。一方、上記裏側織り部に用いられる繊維の繊度は、例えば、２０〜２０００デシテックス、特に２２０〜３３０デシテックスであることができる。
上記表側織り部に用いられる繊維の捲縮率は、例えば、ＪＩＳ  Ｌ  １０１３に基づいて測定した伸縮復元率が２０〜５０％、特に３０〜４０％であることができる。一方、上記裏側織り部に用いられる繊維の捲縮率は、例えば、ＪＩＳ  Ｌ  １０１３に基づいて測定した伸縮復元率が２０〜５０％、特に３０〜４０％であることができる。なお、上記「捲縮率」とは、糸の縮む度合いを示すものである。
【００１６】
上記（１）形態では、例えば、上記表側織り部に用いられる繊維は表用捲縮繊維であり、裏側織り部に用いられる繊維は、表用捲縮繊維より捲縮率の大きい裏用捲縮繊維であることができる。この表用捲縮繊維の捲縮率は、例えば、ＪＩＳ  Ｌ  １０１３に基づいて測定した伸縮復元率が０〜３％、特に０．５〜１％であることができる。一方、裏用捲縮繊維の捲縮率は、例えば、ＪＩＳ  Ｌ  １０１３に基づいて測定した伸縮復元率が２０〜５０％、特に３０〜４０％であることができる。
【００１７】
上記（２）形態では、例えば、上記二重編み部のうちの表側編み部に用いられる繊維と裏側編み部に用いられる繊維とでは、原料、繊度、捲縮率、及び引張り強さからなる群のうちの少なくとも一種が異なることができる。この場合、上記一重織り部に用いられる繊維は、通常、表側織り部に用いられる繊維又は裏側織り部に用いられる繊維と同じものである。
上記表側編み部及び裏側編み部に用いられる繊維の原料としては、例えば、ポリエチレンテレフタレート繊維、ポリブチレンテレフタレート繊維、ポリトリメチレンテレフタレート繊維、ポリ乳酸等のポリエステル系繊維、ナイロン６繊維、ナイロン６６繊維等のポリアミド系繊維、ポリアクリル系繊維、ポリプロピレン繊維等のポリオレフィン系繊維などの合成繊維、綿、麻、絹、ウール等の天然繊維、キュプラレーヨン、ビスコースレーヨン、リョセル等の再生繊維などのうちの１種又は２種以上の組み合わせを挙げることができる。
上記表側編み部に用いられる繊維の繊度は、例えば、２０〜２０００デシテックス、特に２２０〜３３０デシテックスであることができる。一方、上記裏側編み部に用いられる繊維の繊度は、例えば、２０〜２０００デシテックス、特に２２０〜３３０デシテックスであることができる。
上記表側編み部に用いられる繊維の捲縮率は、例えば、ＪＩＳ  Ｌ  １０１３に基づいて測定した伸縮復元率が２０〜５０％、特に３０〜４０％であることができる。一方、上記裏側編み部に用いられる繊維の捲縮率は、例えば、ＪＩＳ  Ｌ  １０１３に基づいて測定した伸縮復元率が２０〜５０％、特に３０〜４０％であることができる。
【００１８】
上記（２）形態では、例えば、上記表側編み部に用いられる繊維は表用捲縮繊維であり、裏側編み部に用いられる繊維は、表用捲縮繊維より捲縮率の大きい裏用捲縮繊維であることができる。この表用捲縮繊維の捲縮率は、例えば、ＪＩＳ  Ｌ  １０１３に基づいて測定した伸縮復元率が０〜３％、特に０．５〜１％であることができる。一方、裏用捲縮繊維の捲縮率は、例えば、ＪＩＳ  Ｌ  １０１３に基づいて測定した伸縮復元率が２０〜５０％、特に３０〜４０％であることができる。
【００１９】
上記（１）（２）形態では、例えば、上記表皮には、パッドを入れるための切り込みが形成されており、支持枠には、切り込みに対応する位置にリブ部が設けられていることができる。
上記リブ部の表面側には、例えば、表皮に向かって突出する突起部が設けられていることができる。この突起部は、表皮に突き刺さったり、表皮を押圧したりして表皮の乱れ（移動）を抑制できるものである限り、その構造、大きさ、形状、材質、数量などは特に問わない。
【００２０】
上記（１）（２）形態では、例えば、上記延設部は、上記一重織り部又は一重編み部の一部を延設して構成されていることができる。これにより、蓋体の構造をさらに簡素化できる。
上記（１）（２）形態では、例えば、上記一重織り部又は一重編み部は、二重織り部の外周に沿って設けられ、上記支持枠は表側支持枠と裏側支持枠とを有し、これら表側支持枠及び裏側支持枠の間に一重織り部又は一重編み部が挟持されていることができる。これにより、蓋本体を支持枠でより確実且つ容易に支持できる。この場合、裏側支持枠の表面側には、上記一重織り部又は一重編み部に形成された複数の孔部に挿通可能な複数のボス部が設けられていることが好ましい。
【００２１】
ここで、上記実施形態１．のコンソールボックスでは、例えば、上記ボックス本体及び蓋体の間には、ボックス本体に対して蓋体をロックするロック機構が設けられており、ロック機構は、延設部の伸縮によりロック解除されるようになっていることができる。
上記ロック機構は、例えば、ボックス本体及び蓋体のうちの一方に設けられるフック状の係止部と、他方に設けられ係止部が係止するフック状の被係止部と、を有することができる。これにより、ロック機構の構造をさらに簡素化できる。
【実施例】
【００２２】
以下、図面を用いて実施例により本発明を具体的に説明する。
【００２３】
（１）コンソールボックスの構成
本実施例に係るコンソールボックス１は、図１及び図２に示すように、ボックス本体２及び蓋体３を備えている。これらボックス本体２及び蓋体３の間には、蓋体３の開閉支持機構５及びロック機構６が設けられている。
【００２４】
上記ボックス本体２は、上方を開放してなる樹脂製の外箱７及び内箱８を有している。この内箱８の上面壁８ａには開口８ｂが形成されている。また、外箱７の側面壁７ａには開口７ｂが形成されていると共に、下方に向かって延びる平板状の折返し片９が設けられている。
【００２５】
上記蓋体３は、蓋本体１０と、この蓋本体１０を支持する支持枠１１とを有している。この蓋本体１０は、袋織りの二重織り部１３と一重織り部１４とを有する一枚織布からなる表皮１５と、二重織り部１３の内部に封入される弾性を有するパッド１６と、を有している。
【００２６】
上記表皮１５において、二重織り部１３のうちの表側織り部１３ａに用いられる繊維は、ポリエステル繊維であり、その繊度が３３０デシテックスであり、その捲縮率としてＪＩＳ  Ｌ  １０１３に基づいて測定した伸縮復元率が０．５パーセントである。一方、裏側織り部１３ｂに用いられる繊維は、ポリエステル繊維であり、その繊度が３３０デシテックスであり、その捲縮率としてＪＩＳ  Ｌ  １０１３に基づいて測定した伸縮復元率が３８パーセントである。したがって、表側織り部１３ａの一重織り部１４の表面からの突出形状は略湾曲状に膨らむ形状となっている。一方、裏側織り部１３ｂの一重織り部１４の裏面からの突出形状は、その底面が略平面状となる形状となっている。その結果、二重織り部１３の長尺方向の縦断面において、表側織り部１３ａの周長さは裏側織り部１３ｂの周長さより大きくなっている（図２参照）。また、裏側織り部１３ｂの長尺方向の中央部には、パッド１６を入れるために裏側織り部１３ｂの短尺方向にわたって延びる切り込み１７（図２参照）が形成されている。
【００２７】
上記表皮１５において、一重織り部１４は、二重織り部１３の外周に沿って環状に形成されている。この一重織り部１３に用いられる繊維は、表側織り部１３ａに用いられる繊維と同じものとされている。また、一重織り部１４には、その表裏側を貫通する複数の孔部１８が形成されている。また、一重織り部１４の開口８ｂに対応する部位が延設されて伸縮性を有する帯状の延設部２０となっている。この延設部２０の先端側は、折返し片９の自由端側に巻き掛けられている。そして、その巻き掛け状態の折返し片９に縦断面略Ｕ字状の止め具２１が圧入され、延設部２０の先端側がボックス本体２の内部に取り付けられている。また、この延設部２０は、後述する軸部及び軸受部の内側（ボックス本体２の中央寄り側）に配設されている。
【００２８】
上記パッド１６は、二重織り部１３の表側織り部１３ａ及び裏側織り部１３ｂに対応した形状となっている。即ち、パッド１６の上面側は略湾曲状に膨らむ形状に形成され、パッド１６の底面は略平面状に形成されている。なお、このパッド１６はウレタン樹脂製のものを採用する。
【００２９】
上記支持枠１１は、樹脂製であり環状の表側支持枠２３及び裏側支持枠２４を有している。この裏側支持枠２４の上面側には、一重織り部１４に形成された孔部１８に対応する位置に上方に向かって突出する複数のボス部２５が設けられている。また、裏側支持枠２４の開口８ｂと対応する位置には、延設部２０の表面側を案内するように下方に向かって延びる平板状の案内片２６が設けられている。そして、この裏側支持枠２４のボス部２５を一重織り部１４の孔部２０に挿通した状態で、これら表側支持枠２３及び裏側支持枠２４の間に一重織り部１４を挟持して蓋体３が組み付けられている。また、裏側支持枠２４の上面には、切り込み１７に対応する位置に枠部を連絡するリブ部２７が設けられている。このリブ部２７の表面側には、表皮１５に向かって突出し且つ面ファスナを構成する略Ｊ字状の多数の突起部２８が設けられている。これら突起部２８の先端側は、二重織り部１３の裏側織り部１３ｂに突き刺さっている。
【００３０】
上記開閉支持機構１０８は、軸部３０及び軸受部３１を有している。この軸部３０は、外箱７の側面壁７ａの上端側に設けられた立上げ片３３の上端側に一体成形されている。また、軸部３０は、開口７ｂの横幅方向の略全長にわたって延びている。また、上記表側支持枠２３の開口７ｂと対応する位置には、開口７ｂを覆う後方覆い部３４が設けられている。この後方覆い部３４の内側には、複数の平板状のリブ部３５が並設されている。上記軸受部３１は、これらリブ部３５の下端側に一体成形されている。また、軸受部３１は、軸部３０の全周の一部を軸支するように略Ｕ字状に形成されている。そして、これら軸部３０及び軸受部３１は、上記蓋体３を開閉する際に延設部２０の伸縮により軸部３０の軸心と直交する方向（軸受部３１が軸部３０の軸支を解除する方向、つまり略水平方向）に相対移動されるようになっている（図３参照）。そのため、軸受部３１が軸部３０の軸支を解除可能な構成となっている。
【００３１】
上記ロック機構６は、図２に示すように、係止部３７及び被係止部３８を有している。この係止部３７は、蓋体３の裏側支持枠１３ａの一端側に下方に向かって延びて設けられている。また、係止部３７は、その先端側がボックス本体２の内側に向かって折れ曲がったフック状に形成されている。この被係止部３８は、ボックス本体２の内箱８の側面壁８ｃの上端側に設けられている。また、被係止部３８は、その先端側がボックス本体２の外側に向かって折れ曲がったフック状に形成されている。
【００３２】
（２）コンソールボックスの作用
次に、上記コンソールボックス１の作用について説明する。
図２に示すように、蓋体３によるボックス本体２の開口８ｂの閉鎖状態では、蓋体３がロック機構６でロックされた状態となっている。この状態より、使用者が蓋体３のロック機構６の近傍の側を持ち上げて、蓋体３を軸部３０を回転中心として開放方向に回転させる。すると、図３に示すように、延設部２０の伸縮によって、軸部３０が軸受部３１に対して略水平方向（軸受部３１が軸部３０の軸支を解除する方向）に移動されて弾性変形を殆ど伴わず係止部３７が被係止部３８を乗り越える。このとき、使用者には適当な節度感が与えられる。そして、蓋体３をさらに開放方向に回転させると、図４に示すように、ボックス本体２の開口８ｂが完全に開放された状態となり、使用者によりボックス本体２の内部に対して収容物が出し入れされることとなる。
【００３３】
（３）実施例の効果
本実施例のコンソールボックス１によると、蓋体３に延設部２０及び軸受部３１を設け、ボックス本体２に軸部３０を設け、これら軸部３０及び軸受部３１を、延設部２０の伸縮により軸部３０の軸心と直交する方向に相対移動させるようにしたので、蓋体３の開閉構造を簡素化して部品点数及び組付け工程を低減することができる。特に、本実施例では、樹脂製の裏側支持枠２４に軸受部３１を一体成形すると共に、樹脂製のボックス本体２に軸部３０を一体成形したので、従来のように開閉支持機構として単一部品の支持ピンを採用する必要がなく、開閉支持機構５を極めて簡素化できる。また、従来のようにロック機構として可動部材やバネ等を採用する必要がなく、ロック機構１０９を極めて簡素化できる。
【００３４】
また、本実施例では、蓋体３として、蓋本体１０及び支持枠１１を有するものを採用しているので、蓋体３の構造を簡素化して部品点数及び組付け工程を低減することができる。また、開放状態の蓋体３の裏面側として蓋本体１０を見せることができ、蓋体３の裏面側の見栄えを向上させることができる。さらに、蓋体３の構造を簡素化できるので、蓋本体１０ひいてはパッド１６の厚さ寸法を大きくでき、蓋体３の触感を向上させることができる。
【００３５】
また、本実施例では、延設部２０を、表皮１５の一重織り部１４の一部を延設して構成したので、蓋体３の構造をさらに簡素化できる。
【００３６】
また、本実施例では、蓋本体１０を、袋織りの二重織り部１３と一重織り部１４とを有する一枚織布からなる表皮１５と、二重織り部１３の内部に封入される弾性を有するパッド１６と、を有して構成したので、蓋体３の構造をさらに簡素化できる。また、開放状態の蓋体３の裏面側として二重織り部１３の裏側織り部１３ａを見せることができ、蓋体３の裏面側の見栄えをさらに向上させることができる。また、パッド１６の厚さ寸法を大きくでき、蓋体３の触感をさらに向上させることができる。さらに、一枚織布からなる表皮１５を比較的容易に作成することができる。
【００３７】
また、本実施例では、二重織り部１３のうちの表側織り部１３ａに用いられる繊維と裏側織り部１３ｂに用いられる繊維とでは、原料、繊度、捲縮率、及び引張り強さからなる群のうちの少なくとも一種が異なるようにしたので、二重織り部１３の表側織り部１３ａ及び裏側織り部１３ｂの一重織り部１４の表裏面からの突出形状を異ならせて、それぞれに適した突出形状とすることができる。即ち、表側織り部１３ａを湾曲状の突出形状としてその見栄えを向上させ得る共に、裏側織り部１３ｂをその底面が略平面状となる突出形状として支持枠１１に対する設置性を高めることができる。
【００３８】
また、本実施例では、表側織り部１３ａに用いられる繊維を表用捲縮繊維とし、裏側織り部１３ｂに用いられる繊維を、表用捲縮繊維より捲縮率の大きい裏用捲縮繊維としたので、二重織り部１３の表側織り部１３ａ及び裏側織り部１３ｂのそれぞれの突出形状をさらに容易且つ確実に異ならせることができる。
【００３９】
また、本実施例では、ボックス本体２及び蓋体３の間に、ボックス本体２に対して蓋体３をロックするロック機構６を設け、このロック機構６を、延設部２０の伸縮によりロック解除されるようにしたので、蓋体３を開放してロック解除する際に適当な節度感を得ることができると共に、蓋体３を閉鎖する際に蓋体３を確実にロックすることができる。
【００４０】
また、本実施例では、表皮１５に、パッド１６を入れるための切り込み１７を形成し、支持枠１１の切り込み１７に対応する位置にリブ部２７を設けたので、蓋体３の組付け状態においてリブ部２７により切り込み１７が覆い隠され、蓋体３の裏面側の見栄えの低下を抑制できると共に、蓋体３の強度を高めることができる。
【００４１】
また、本実施例では、リブ部２７の表面側に、表皮１５に向かって突出する突起部２８を設けたので、突起部２８により表皮２７の切り込み１７の周囲側の乱れ（移動）を抑制して表皮２７の見栄えの低下を抑制することができる。
【００４２】
さらに、本実施例では、一重織り部１４を、二重織り部１３の外周に沿って設け、支持枠１１を表側支持枠２３及び裏側支持枠２４を有して構成し、これら表側支持枠２３及び裏側支持枠２４の間に一重織り部１４を挟持して蓋体３を構成するようにしたので、蓋本体１０を支持枠１１でより確実且つ容易に支持できる。特に、本実施例では、裏側支持枠２４の表面側に、一重織り部１４に形成された複数の孔部１８に挿通可能な複数のボス部２５を設けたので、蓋本体１０を支持枠１１で極めて確実且つ容易に支持できる。
【００４３】
尚、本発明においては、上記実施例に限られず、目的、用途に応じて本発明の範囲内で種々変更した実施例とすることができる。即ち、上記実施例では、表皮１５の一部を延設してなる延設部２０を例示したが、これに限定されず、例えば、表皮１５とは別部材の延設部２０を用意し、この延設部２０を表皮１５に後付けするようにしてもよい。
【００４４】
また、上記実施例では、二重織り部１３の表側織り部１３ａと同じ繊維からなる一重織り部１４の一部を延設してなる延設部２０を例示したが、これに限定されず、例えば、二重織り部１３の裏側織り部１３ｂと同じ繊維からなる一重織り部１４の一部を延設してなる延設部としてもよい。
【００４５】
また、上記実施例では、蓋本体１０とボックス本体２とを連絡する延設部２０を例示したが、これに限定されず、例えば、支持枠１１とボックス本体２とを連絡する延設部２０としてもよい。
【００４６】
また、上記実施例では、止め具２１によって、延設部２０の先端側をボックス本体２に取り付ける形態を例示したが、これに限定されず、例えば、ねじ止め、接着、溶着等によって、延設部２０の先端側をボックス本体２に取り付けるようにしてもよい。
【００４７】
また、上記実施例では、ボックス本体２の上面側に形成された略水平方向に広がる開口８ｂを例示したが、これに限定されず、例えば、ボックス本体２の傾斜壁面側に形成された開口としたり、ボックス本体２の垂直壁面側に形成された開口としたりしてもよい。
【００４８】
また、上記実施例では、ボックス本体２に軸部３０を設け、蓋体３に軸受部３１を設けるようにしたが、これに限定されず、例えば、ボックス本体２に軸受部３１を設け、蓋体３に軸部３０を設けるようにしてもよい。
【００４９】
また、上記実施例では、ボックス本体２に軸部３０を一体成形し、支持枠１１に軸受部３１を一体成形するようにしたが、これに限定されず、例えば、ボックス本体２及び支持枠１１とは別部材の軸部３０及び軸受部３１を用意し、これらを後付けするようにしてもよい。
【００５０】
また、上記実施例では、蓋体３を開放する際に、延設部２０の伸縮によって、軸部３０及び軸受部３１を相対移動させると共に、弾性変形を伴わずに係止部３７が被係止部３８を乗り越えるようにしたが、これに限定されず、例えば、蓋体３を開放する際に、軸部３０及び軸受部３１を相対移動させると共に、弾性変形を伴って係止部３７が被係止部３８を乗り越えるようにしてもよい。
【００５１】
また、上記実施例では、二重織り部１３の表側織り部１３ａ及び裏側織り部１３ｂが異なる突出形状となる蓋本体１０を例示したが、これに限定されず、例えば、二重織り部１３の表側織り部１３ａ及び裏側織り部１３ｂが略同じ突出形状となる蓋本体１０としてもよい。この場合、二重織り部１３の表側織り部１３ａに用いられる繊維と裏側織り部１３ｂに用いられる繊維とは同じものが使用される。
【００５２】
また、上記実施例では、袋織りの二重織り部１３と一重織り部１４とを有する一枚織布からなる表皮１５を例示したが、これに限定されず、例えば、袋編みの二重編み部と一重編み部とを有する一枚編布からなる表皮１５としてもよい。
【００５３】
さらに、上記実施例では、樹脂製のリブ部の表面側に、面ファスナを構成する複数の突起部を一体成形してなる形態を例示したが、これに限定されず、例えば、リブ部の表面側に、面ファスナを構成する複数のフック部が植設された帯状材を取り付けるようにしてもよい。
【産業上の利用可能性】
【００５４】
コンソールボックスに関する技術として広く利用される。特に、自動車、列車、航空機等の車両の車室内に設置されるコンソールボックスに関する技術として好適に利用される。
【図面の簡単な説明】
【００５５】
【図１】本実施例に係るコンソールボックスを示す分解斜視図である。
【図２】上記コンソールボックスの縦断面図である。
【図３】上記コンソールボックスの作用を説明するための説明図であり、係止部が被係止部を乗り越える状態を示す。
【図４】上記コンソールボックスの作用を説明するための説明図であり、蓋体が開放された状態を示す。
【図５】従来のコンソールボックスを示す分解斜視図である。
【図６】上記コンソールボックスの縦断面図である。
【符号の説明】
【００５６】
１；コンソールボックス、２；ボックス本体、３；蓋体、６；ロック機構、１０；蓋本体、１１；支持枠、１３；二重織り部、１３ａ；表側織り部、１３ｂ；裏側織り部、１４；一重織り部、１５；表皮、１６；パッド、１７；切り込み、２０；延設部、３０；軸部、３１；軸受部。
【図１】
2010064525.tif 000003
【図２】
2010064525.tif 000004
【図３】
2010064525.tif 000005
【図４】
2010064525.tif 000006
【図５】
2010064525.tif 000007
【図６】
2010064525.tif 000008